(57)【要約】      （修正有）【課題】コンパクトに収納されたソーラーパネルを取り出すことによってバッテリーの充電を容易に行うことができるとともに、バッテリーの電力を例えば照明装置の電源用や携帯端末の充電用として利用することができ、さらに、照明装置を収容して移送することができる軽量且つコンパクトな移動電源装置を提供する。【解決手段】照明装置Ｐの電源用として、あるいは携帯端末の充電用として移動可能となって使用される移動電源装置であって、該移動電源装置は、本体部１と、蓋部２とからなり、本体部１の下部には移動用キャスタ３を備え、本体部１の内部にはバッテリー、スイッチング電源、端子台、ブレーカ、ソーラーパネルを収容する収容空間部と、照明装置Ｐを収容する余剰空間部とを有する。【選択図】図６
0003215290.tif 000002
【実用新案登録請求の範囲】
【請求項１】
照明装置の電源用として、あるいは携帯端末の充電用として移動可能となって使用される移動電源装置であって、該移動電源装置は、本体部と、蓋部とからなり、本体部の下部には移動用キャスタを備え、本体部の内部にはバッテリー、スイッチング電源、端子台、ブレーカ、ソーラーパネルを収容する収容空間部と、前記照明装置を収容する余剰空間部とを有することを特徴とすることを特徴とする移動電源装置。
【請求項２】
ソーラー充電式ＬＥＤ等の照明装置の電源用として、あるいはスマートフォン等の携帯端末の充電用として移動可能となって使用される移動電源装置であって、該移動電源装置は、取っ手付きの本体部と、ヒンジ開閉式の蓋部とからなり、本体部の下部には移動用キャスタを備え、本体部の内部にはリチウムイオン二次電池等のバッテリー、スイッチング電源、端子台、ブレーカそれぞれが区画収納される第１収容空間部と、ソーラーパネルを収容する第２収容空間部とを備え、前記第１収容空間部の上部には、ソーラー充電式ＬＥＤ等の前記照明装置とともに、固定用三脚、接続ケーブルそれぞれを収容可能な余剰空間部を有することを特徴とする移動電源装置。
【請求項３】
前記本体部の側壁には、前記携帯端末の充電ケーブル接続用のＵＳＢポート、商用電源接続コネクタ、照明装置接続コネクタ、ソーラーパネル接続コネクタそれぞれが隣接配置してなることを特徴とする請求項１又は２記載の移動電源装置。
【考案の詳細な説明】
【技術分野】
【０００１】
本考案は、例えば防災地域等において、ソーラー充電式ＬＥＤ等の照明装置の電源として、あるいはスマートフォン等の携帯端末の充電用として移動可能となって使用される移動電源装置に関する。
【背景技術】
【０００２】
従来、例えば防災地域等においては、重量性のあるバッテリーを収容した場合には、被災者の通行支障となり、その結果としての配線の切断などの障害が発生する。このような弊害を避けることを目的として、近年では、特許文献１に開示されているように、大型化したり移動がし難くなったりすることなく太陽電池パネルによる発電量を増やすことができ、かつ、低日射の日が続いた場合でも十分な発電量を確保することができるハイブリッド式の移動式電源装置が提供されている。
【０００３】
すなわち、この装置は、内部に、バッテリー、制御装置及びインバーターが設けられ、下部に移動用の車輪が設けられた直方体の箱体から成るハウジングを備え、前記ハウジングの内部に、可撓性の帯状ソーラーパネルを巻取りローラに巻き取って成るソーラーパネルユニットと、燃料発電機とを設け、前記制御装置を介して前記ソーラーパネルユニット及び前記燃料発電機を前記バッテリーに接続して、ソーラーパネルユニット及び前記燃料発電機によってバッテリーの充電を行うことができるように構成されている。前記制御装置は、バッテリーの電圧及びソーラーパネルユニットの発電量が所定の値より低い時に、燃料発電機によるバッテリーの補助充電を行うように構成されている。インバーターは、バッテリーに充電された電力を直流及び交流に変換し、プラグソケットを介して外部に出力するものとされている。
【先行技術文献】
【特許文献】
【０００４】
【特許文献１】特開２０１２−２４４６５６号公報
【考案の概要】
【考案が解決しようとする課題】
【０００５】
しかしながら、上記した特許文献１の移動式電源装置は、バッテリーの電力を、プラグソケットを介して外部に出力するものとされているが、装置自体はバッテリーの充電用としてのみに主眼がおかれ、バッテリーの電力を例えば照明装置の電源用や携帯端末の充電用として利用すること、及び照明装置等の機器類をこの装置内に収容して移送することに関しては何等開示されていない。また、ソーラーパネルは可撓性の帯状であることから、巻き取りローラから引き出された際に、設置場所が傾斜面であったり風によって捲れたりしてソーラーパネル自体が捩れてしまい受光面全体が一様に太陽に向けることが困難となる虞がある。
【０００６】
しかも、燃料発電機がバッテリーの補助充電として使用されるため、常に燃料の補給が必要となるほか、燃料発電機の搭載により装置全体の重量を高めてしまい、例えば防災地域等における移送や燃料補給等が困難となる虞がある。
【０００７】
そこで、本考案は叙上のような従来存した諸事情に鑑み創出されたもので、収納されたソーラーパネルを取り出すことによってバッテリーの充電を容易に行うことができるとともに、バッテリーの電力を例えば照明装置の電源用や携帯端末の充電用として利用することができ、さらに、照明装置等の機器類を収容して移送することができる軽量且つコンパクトな移動電源装置を提供することを目的とする。
【課題を解決するための手段】
【０００８】
上述した課題を解決するために、本考案にあっては、照明装置の電源用として、あるいは携帯端末の充電用として移動可能となって使用される移動電源装置であって、該移動電源装置は、本体部と、蓋部とからなり、本体部の下部には移動用キャスタを備え、本体部の内部にはバッテリー、スイッチング電源、端子台、ブレーカ、ソーラーパネルを収容する収容空間部と、前記照明装置を収容する余剰空間部とを有することを特徴とする。
【０００９】
ソーラー充電式ＬＥＤ等の照明装置の電源用として、あるいはスマートフォン等の携帯端末の充電用として移動可能となって使用される移動電源装置であって、該移動電源装置は、取っ手付きの本体部と、ヒンジ開閉式の蓋部とからなり、本体部の下部には移動用キャスタを備え、本体部の内部にはリチウムイオン二次電池等のバッテリー、スイッチング電源、端子台、ブレーカそれぞれが区画収納される第１収容空間部と、ソーラーパネルを収容する第２収容空間部とを備え、前記第１収容空間部の上部には、ソーラー充電式ＬＥＤ等の前記照明装置とともに、固定用三脚、接続ケーブルそれぞれを収容可能な余剰空間部を有することを特徴とする。
【００１０】
前記本体部の側壁には、前記携帯端末の充電ケーブル接続用のＵＳＢポート、商用電源接続コネクタ、照明装置接続コネクタ、ソーラーパネル接続コネクタそれぞれが隣接配置してなることを特徴とする。
【考案の効果】
【００１１】
本考案によれば、収納されたソーラーパネルを取り出すことによってバッテリーの充電を容易に行うことができるとともに、バッテリーの電力を照明装置の電源用や携帯端末の充電用として利用することができ、さらに、照明装置を収容して移送することができる軽量且つコンパクトな移動電源装置を提供することができる。
【００１２】
すなわち、本考案は、照明装置の電源用として、あるいは携帯端末の充電用として移動可能となって使用される移動電源装置であって、該移動電源装置は、本体部と、蓋部とからなり、本体部の下部には移動用キャスタを備え、本体部の内部にはバッテリー、スイッチング電源、端子台、ブレーカ、ソーラーパネルを収容する収容空間部と、前記照明装置を収容する余剰空間部とを有するので、例えば防災地域等における任意の場所で、ソーラーパネルで充電したバッテリーの電力を照明装置の電源用や携帯端末の充電用として利用することを可能にした。また、本体部の余剰空間部に収容されている照明装置を取り出すことで、防災地域等における任意の場所で、ソーラーパネルで充電したバッテリーの電力で照明装置を即座に点灯させることができる。
【００１３】
さらに具体的には、ソーラー充電式ＬＥＤ等の照明装置の電源用として、あるいはスマートフォン等の携帯端末の充電用として移動可能となって使用される移動電源装置であって、該移動電源装置は、取っ手付きの本体部と、ヒンジ開閉式の蓋部とからなり、本体部の下部には移動用キャスタを備え、本体部の内部にはリチウムイオン二次電池等のバッテリー、スイッチング電源、端子台、ブレーカそれぞれが区画収納される第１収容空間部と、ソーラーパネルを収容する第２収容空間部とを備え、前記第１収容空間部の上部には、ソーラー充電式ＬＥＤ等の前記照明装置とともに、固定用三脚、接続ケーブルそれぞれを収容可能とした余剰空間部を有するので、例えば防災地域等における任意の場所で、ソーラーパネルで充電したリチウムイオン二次電池等のバッテリーの電力を例えばソーラー充電式ＬＥＤ等の照明装置の電源用やスマートフォン等の携帯端末の充電用として利用することを可能にした。また、本体部の余剰空間部に収容されているソーラー充電式ＬＥＤ等の照明装置を取り出すことで、例えば防災地域等における任意の場所で、ソーラーパネルで充電したバッテリーの電力でソーラー充電式ＬＥＤ等の照明装置を連続点灯させることができる。
【００１４】
前記本体部の側壁には、前記携帯端末の充電ケーブル接続用のＵＳＢポート、商用電源接続コネクタ、照明装置接続コネクタ、ソーラーパネル接続コネクタそれぞれが隣接配置してなるので、携帯端末、商用電源、照明装置、ソーラーパネルの各機器の接続端子に対する配線作業が容易に行える。
【図面の簡単な説明】
【００１５】
【図１】本考案を実施するための一形態における移動電源装置の全体構成を示す斜視図である。
【図２】同じく移動電源装置の全体構成を示すもので、（ａ）は平面図、（ｂ）は正面図、（ｃ）は側面図である。
【図３】携帯端末、商用電源、照明装置、ソーラーパネルの各機器の接続端子の要部を示す側面図である。
【図４】移動電源装置の本体部内部のバッテリー、ソーラーパネル、スイッチング電源、端子台、照明装置それぞれの収容空間を示す斜視図である。
【図５】移動電源装置の本体部内部から照明装置を取り出した状態の説明図である。
【図６】同じく移動電源装置の本体部内部から取り出した照明装置の使用状態の斜視図である。
【図７】移動電源装置の本体部内部からソーラーパネルを取り出した充電状態の斜視図である。
【考案を実施するための形態】
【００１６】
以下、図面を参照して本考案の実施の一形態を詳細に説明する。
【００１７】
＜装置外観構成＞
本考案に係る移動電源装置（以後、本装置と称す）は、例えば、ソーラー充電式ＬＥＤ等の照明装置Ｐ（図５、図６参照）の電源用として、あるいはスマートフォン等の携帯端末（図示省略）の充電用として移動可能となって使用されるものである。本装置は、図１及び図２に示すように、例えばポリプロピレン樹脂等によって形成された、上部両端側に取っ手２Ａを備えた箱型の本体部１と、該本体部１の上部開口側で不図示のヒンジを介して開閉可能とし且つ正面視で左右一対の係止バックル４によって閉蓋固定される蓋部２とからなり、本体部１の下部四隅には移動用キャスタ３を備えている。
【００１８】
また、図２（ｂ）及び図３に示すように、本体部１の側壁中央下側には、不図示のスマートフォン等の携帯端末の充電ケーブル（図示せず）を接続するための２口のＵＳＢポート５ａ、ソーラー充電式ＬＥＤ等の照明装置Ｐ（図５、図６参照）に接続するための照明装置接続コネクタ５ｂ、ソーラーパネルＱ（（例えば３５Ｗ、図４、図５、図７参照）に接続するためのパネル接続コネクタ５ｃ、不図示の商用電源（家庭用コンセント：ＡＣ１００Ｖ）に接続するための電源接続コネクタ５ｄそれぞれが隣接配置してある。なお、ポートやコネクタの不使用の場合には、不図示の防水キャップで封止される。
【００１９】
＜装置内部構成＞
本装置の内部は、充電制御機能を搭載したリチウムイオン二次電池（例えばＤＣ１２Ｖ、公称寿命１２０００サイクル以上、定格容量２００Ｗｈ）等のバッテリーＢとともに、スイッチング電源ＳＷ（例えばＤＣ１５Ｖで１０Ａ等）、端子台Ｔ、ブレーカＶそれぞれが区画収納される平面視略矩形状の第１収容空間部Ｓ１と、複数（例えば図示中では４枚）のソーラーパネルＱが受光面を横向きにして収納される平面視略横長矩形状の第２収容空間部Ｓ２とが仕切板６を介して区画配置されている。また、第１収容空間部Ｓ１の上部には、ソーラー充電式ＬＥＤ等の照明装置Ｐとともに、固定用三脚Ｌ、接続ケーブルＣ（図５参照）、さらにはバッテリーＢをソーラーパネルや商用電源に接続して充電するための充電ケーブル（図示せず）、携帯端末を充電するための充電ケーブル（図示せず）それぞれを収容可能な余剰空間部Ｓ３を有している。
【００２０】
＜仕様の説明＞
充電時においては、上記した４枚のソーラーパネルＱを使用してのバッテリーＢの充電時間は晴天時において約１．５時間（残量０から満充電までの値）であり、商用電源を使用した場合も同様に約１．５時間である。
【００２１】
放電時においては、ＬＥＤ９Ｗによる照明装置Ｐの連続点灯時間は約２２時間であり、スマートフォンは約１０台充電可能である（満充電時の値）。
【００２２】
なお、上記構成による本装置には、バッテリーＢの充電中や電力使用中において、その残量を容易に確認できるバッテリー残量計（図示せず）が搭載されている。
【００２３】
次に、以上のように構成された形態についての使用の一例について説明する。
【００２４】
例えば災害等の緊急事態が発生し、そこで照明装置Ｐが必要となったときに、本装置を被災地域まで移動用キャスタ３によって移動させる。そして、係止バックル４を解除し、蓋部２を開け、本体部１内部から照明装置Ｐ、固定用三脚Ｌ、接続ケーブルＣ（図５参照）それぞれを取り出す。照明装置Ｐを固定用三脚Ｌによって所定場所に立て掛け、照明装置Ｐに接続された接続ケーブルＣを照明装置接続コネクタ５ｂに差し込む。これにより、図６に示すように、使用時において照明装置ＰはバッテリーＢによる電力で連続点灯される。
【００２５】
また、スマートフォン等の携帯端末を充電する場合には、本体部１から不図示の充電ケーブルを取り出し、当該充電ケーブルの一端を携帯端末に差し込んでから他端を本体部１のＵＳＢポート５ａに接続する。
【００２６】
バッテリーＢをソーラーパネルＱによって充電するときには、本体部１から例えば４枚のソーラーパネルＱと不図示の充電ケーブルを取り出し、ソーラーパネルＱの４枚を太陽に向けて設置し、当該充電ケーブルの一端をソーラーパネルＱの接続端子に差し込んでから他端を本体部１のパネル接続コネクタ５ｃに接続する（図７参照）。
【００２７】
バッテリーＢを商用電源によって充電するときには、本体部１から不図示の充電ケーブルを取り出し、当該充電ケーブルの一端を商用電源（ＡＣ１００Ｖのコンセント）に差し込んでから他端を本体部１の電源接続コネクタ５ｄに接続する。
【符号の説明】
【００２８】
Ｐ…照明装置
Ｑ…ソーラーパネル
Ｂ…バッテリ
Ｃ…接続ケーブル
Ｌ…固定用三脚
Ｓ１…第１収容空間部
Ｓ２…第２空間収容部
Ｓ３…余剰空間部
ＳＷ…スイッチング電源
Ｔ…端子台
Ｖ…ブレーカ
１…本体部
２…蓋部
２Ａ…取っ手
３…移動用キャスタ
４…係止バックル
５ａ…ＵＳＢポート
５ｂ…照明装置接続コネクタ
５ｃ…パネル接続コネクタ
５ｄ…電源接続コネクタ
６…仕切板
【図１】
0003215290.tif 000003
【図２】
0003215290.tif 000004
【図３】
0003215290.tif 000005
【図４】
0003215290.tif 000006
【図５】
0003215290.tif 000007
【図６】
0003215290.tif 000008
【図７】
0003215290.tif 000009